(57)【要約】【課題】シート止め材のシート止着溝中へ押し込まれてフィルムシートを止め付けたシート止め線の端部の位置を、一見して確実に探し出すことを容易にする着色表示を設けたシート止め線を提供する。【解決手段】台形波が交互に反転して連続する波形状をなし一定の長さに定寸切断されたシート止め線３における両端部３ａから中央寄り方向へ複数波形分の領域まで、又は同端部から複数波形分だけ偏倚した位置における少なくとも一波形数分相当の長さ領域の表面に、当該シート止め線３の地色とは異なる色彩の着色表示４が設けられている。【選択図】図１
0003177239.tif 000002
【実用新案登録請求の範囲】
【請求項１】
台形波が交互に反転して連続する波形状をなし一定の長さに定寸切断されたシート止め線における両端部から中央寄り方向へ複数波形分の領域まで、又は同端部から複数波形分だけ偏倚した位置における少なくとも一波形数分相当の長さ領域の表面に、当該シート止め線の地色とは異なる色彩の着色表示が設けられている構成を特徴とする、着色表示を設けたシート止め線。
【請求項２】
一定の長さに定寸切断されたシート止め線における両端近傍の着色表示に加えて、当該シート止め線の中央部位にも、前記両端近傍の着色表示とは異なる波形数分相当の長さ領域の表面に、当該シート止め線の地色とは異なる色彩及び／又は前記両端部の着色表示とは異なる色の着色表示が設けられている構成を特徴とする、請求項１に記載した着色表示を設けたシート止め線。
【請求項３】
台形波が交互に反転して連続する波形状をなし、一定の長さに定寸切断され、両端部に一定の長さ範囲まで、又は全長にわたり防食被覆が施されたシート止め線における、両端部から中央寄り方向に複数波形分の領域まで、又は同端部から複数波形分だけ偏倚した位置であって、当該シート止め線を流動炉床へ吊り込む際の端部側吊り位置を含む少なくとも一波形分相当の長さ領域に、当該シート止め線の防食被覆の地色とは異なる色彩の着色表示が設けられている構成を特徴とする、着色表示を設けたシート止め線。
【請求項４】
一定の長さに定寸切断されたシート止め線における両端近傍の着色表示に加えて、当該シート止め線の中央部位にも、前記両端近傍の着色表示とは異なる波形数分相当の長さ領域で、且つ当該シート止め線を流動炉床へ吊り込む際の中央部吊り位置を含む長さ領域の表面に、当該シート止め線の防食被覆の地色とは異なる色彩及び／又は前記両端部の着色表示とは異なる色彩の着色表示が設けられている構成を特徴とする、請求項３に記載した着色表示を設けたシート止め線。
【考案の詳細な説明】
【技術分野】
【０００１】
この考案は、図４に例示したように開口部が幅狭のシート止着溝１ａを備えたシート止め材１の前記シート止着溝１ａの上に拡げた、所謂ビニルハウス等の被覆材であるプラスチックフィルムシート２（以下、単にフィルムシートという。）を、前記シート止着溝１ａの中へ押し入れて同フィルムシート２をシート止め材１へ止め付ける、同一の台形波が交互に反転して連続する波形状で弾性なシート止め線３の技術分野に属し、更に詳しくは、一定の長さに定寸切断して出荷され使用されるシート止め線３の「定寸長さ」を前提として、同線材の複数箇所に着色による表示（目印）を設けて成る、着色表示を設けたシート止め線の技術分野に属する。
【背景技術】
【０００２】
現今、所謂ビニルハウス等の構築は、例えばパイプ材や軽量鉄骨などでハウス骨組を組み立て、同ハウス骨組の外側面の棟方向や母屋方向その他に上記のシート止め材１を取り付け、同シート止め材１のシート止着溝１ａの上に拡げた、ハウス被覆材としてのフィルムシート２を、波形状で弾性なシート止め線３によりシート止着溝１ａの中へ押し入れて止め付ける手法を実施することが一般的に行われている。
因みに、シート止め線３を定寸切断して出荷し使用させる長さは、道路運送の既成などにより通例２ｍ〜４ｍ程度とされている。このシート止め線３の材質は、スプリング性に富む中炭素鋼とされ、通例その表面に亜鉛メッキ等が施されている。シート止め線３の線径は２．０〜２．３ｍｍが一般的である。台形波の振幅は３３ｍｍ程度、１波形分の波長は１０５ｍｍ程度に成形されている。
また、下記する特許文献１によれば、上記定寸切断したシート止め線３の両端部を一定の長さ範囲まで、或いは全長にわたり合成樹脂被覆を施して手触りをよくし、且つ防食効果を得る構成が開示されている。
更に、同特許文献１によれば、シート止め線の属性、例えば製造年月日や、線径の大小、メッキ処理のグレードの如何等々を、特定色の着色によって識別させる分別表示を設けることも開示されている。
【先行技術文献】
【特許文献】
【０００３】
【特許文献１】実用新案登録第３０４９８８７号公報
【考案の概要】
【考案が解決しようとする課題】
【０００４】
上記したとおり、フィルムシートをシート止め材のシート止着溝中へ押し込んで止め付ける、同一の台形波が交互に反転して連続する波形状で、弾性なシート止め線に関しては、その構成や材質、寸法等が既に広く標準化されている。
しかし、シート止め線を使用する現場では、更なる解決課題が次のように提起されている。
第一に、図４に例示したように開口部が幅狭のシート止着溝１ａを備えたシート止め材１の前記シート止着溝１ａの上に拡げたフィルムシート２を、シート止め線３によりシート止着溝１ａの中へ押し入れてシート止め材１へ止め付けることにより構築したビニルハウスに関しては、通例２年ないし３年程度のサイクルで、老朽化し又は汚損したフィルムシート２の張り替えを行っている。その他、台風や突風などによりフィルムシート２が破損したり吹き飛ばされた場合、或いは使用者等の不用意な作業や行動によってビニルハウスのフィルムシート２を破損させたような場合にも、当然、新しいフィルムシートに張り替えることを余儀なくされる。
その場合には、ビニルハウスの各シート止め材のシート止着溝１ａ中へ入り込み溝底へぴったり密着しているシート止め線３を引き外すことが先ず行われる。前記状態のシート止め線３を引き外すには、シート止着溝１ａの溝底にぴったり密着しているシート止め線３の端部の位置を探し出すことから始める。探し出した端部を手鉤のような道具により溝外へ引き出すことにより順次に引き外し作業を進める。
ところが、シート止め線３の定寸切断の位置は、同線材の製造機械の仕組み上、台形波の山の部分の中間位置を切断している（図１に示す止め線材３の両端位置を参照）。その故に、図３及び図４を見ると明らかなように、開口部が幅狭のシート止着溝１ａの中へフィルムシート２を押さえ込み溝底の内隅へぴったり密着したシート止め線３の端部は、横断面がハの字形状に幅狭い開口部を形成する溝壁やカール部１ｂによって蔽い隠されている。そのためシート止め線３の端部は、立ち姿で歩く作業員の視野には入り難く、一見しただけでは見つけ出すことが甚だ困難である。
しかもシート止め材１でフィルムシート２をシート止着溝中へ押し込んで止め付ける作業の実務として、シート止め材１の長手方向に隣り合う２本のシート止め線３、３の端部同士は、シート止着性能の連続性を確保するために、相互に一定の長さ分（一定数の波形分）を重ね合わせた状態に繋いでいる。そのためシート止め線３の端部の位置が紛れてしまい、他案部を探し出す峻別作業が一層困難な状態になっており、端部の発見に手間取る場合が多い。
その上、例えばビニルハウス等の屋根に上ってシート止め線３の端部の位置を探し出す作業の場合は、足場が少なく、不安定な高所作業であるため、困難の度合いを高めている。
このような次第で、シート止め材１の溝中へフィルムシート２を止着した状態にあるシート止め線３の端部の位置を探し出すことを容易にする分別表示を設けることの必要性が強く要望されている。
【０００５】
ところで、シート止め線の端部を一定の長さ範囲にわたり、或いは止め線の全長にわたり合成樹脂被覆を施して手触りを良くし、或いは防食効果を得る構成とする技術は、既に上記特許文献１に開示されており、或いは現に実施もされている。そして、前記合成樹脂被覆の表面に更に分別表示を設けることも上記特許文献１に開示されている。
この場合、上記２〜４ｍの長さに定寸切断されたシート止め線は、その両端近傍の２箇所、及び中央部を一箇所の合計３箇所程度を、細い線状のフックにより吊って流動炉床の中へ導き入れて通過させ、合成樹脂パウダーをシート止め線の表面へ付着させている。そのため前記３箇所の吊り位置には、フックに邪魔されて合成樹脂パウダーの付着が阻害された吊り跡が発生する。この吊り跡は、防錆効果を損なう原因となるから、後処理として修復処理を行い、もって止め線の全長にわたる防錆処理の品質を確保することが必要であるから、前記修復処理が二重の手間として解決を望まれている。
【０００６】
よって、本考案の目的は、シート止め材のシート止着溝中へ押し込まれてフィルムシートを止め付けたシート止め線の端部の位置を、一見して確実に探し出すことを容易にする着色表示を設けたシート止め線を提供することである。
本考案の次の目的は、高温に熱したシート止め線を流動炉床の中へ通過させて合成樹脂パウダーをシート止め線の表面へ付着させ溶融させて防錆被覆を形成する際に同止め線の吊り位置に発生する吊り跡の修復を兼ねて着色表示を設けること、とりわけ着色表示は少なくとも台形波の一波形分以上の長さ範囲に設けて、シート止め材のシート止着溝中へ押し込まれた状態でも、外部から一見して確実に視認できる構成の着色表示を設けたシート止め線を提供することである。
【課題を解決するための手段】
【０００７】
上記の課題を解決するための手段として、請求項１に記載した考案に係る着色表示を設けたシート止め線は、
台形波が交互に反転して連続する波形状をなし一定の長さに定寸切断されたシート止め線３における両端部３ａから中央寄り方向へ複数波形分の領域まで、又は同端部から複数波形分だけ偏倚した位置における少なくとも一波形数分相当の長さ領域の表面に、当該シート止め線３の地色とは異なる色彩の着色表示４が設けられている構成を特徴とする。
【０００８】
請求項２に記載した考案は、請求項１に記載した着色表示を設けたシート止め線において、
一定の長さに定寸切断されたシート止め線３における両端近傍の上記着色表示４に加えて、当該シート止め線３の中央部位にも、前記両端近傍の着色表示４とは異なる波形数分相当の長さ領域の表面に、当該シート止め線の地色とは異なる色彩及び／又は前記両端部３ａの着色表示４とは異なる色の着色表示５が設けられている構成を特徴とする。
【０００９】
請求項３に記載した考案に係る着色表示を設けたシート止め線は、
台形波が交互に反転して連続する波形状をなし、一定の長さに定寸切断され、全長にわたり防食被覆が施されたシート止め線３における、両端部から中央寄り方向へ複数波形分の領域まで、又は両端部から複数波形分だけ偏倚した位置であって、当該シート止め線を流動炉床へ吊り込む際の端部側吊り位置を含む少なくとも一波形分相当の長さ領域の表面に、当該シート止め線の防食被覆の地色とは異なる色彩の着色表示が設けられている構成を特徴とする。
【００１０】
請求項４に記載した考案は、請求項３に記載した着色表示を設けたシート止め線において、
一定の長さに定寸切断されたシート止め線における両端近傍の上記着色表示に加えて、当該シート止め線の中央部位にも、前記両端近傍の着色表示とは異なる波形数分相当の長さ領域の表面に、且つ当該シート止め線を流動炉床へ吊り込む際の中央部吊り位置を含む長さ領域に、当該シート止め線の防食被覆の地色とは異なる色彩及び／又は前記両端部の着色表示とは異なる色彩の着色表示が設けられている構成を特徴とする。
【考案の効果】
【００１１】
請求項１〜４に記載した考案に係るシート止め線３は、その両端部３ａから中央寄り方向に複数波形分の領域まで、又は両端部からだけ複数波形分だけ偏倚した位置に、少なくとも一波形分相当の長さ領域に、当該シート止め線３の地色又は防食被覆の地色とは異なる色彩の着色表示４が設けられているから、言い換えると、一つの台形波を形成する少なくとも２本の隣り合う斜辺の全長に及ぶ着色表示４が設けられているから、この着色表示４は、例えば図３を見るとおり、シート止め材１のシート止溝１ａの開口部に必ず大きく明りょうに露出する。よって、作業員がシート止め材１の長手方向に沿って立ち歩きした場合でも、前記２本の斜辺に設けられた着色表示４の存在は一見して明解に視認でき、見逃す筈がなく、端部３ａの位置を明快に予断・予知させる。
しかも、線材端部の着色表示４は、シート止め線３の端部３ａから中央寄り方向に複数波形分の領域まで、又は両端部から複数波形分だけ偏倚した位置に設けられているから、同着色表示４を発見すると、その位置から特定の波形数を数えることにより、端部３ａの位置を明快に特定できる。
また、シート止め材１の長手方向に隣り合う２本のシート止め線３、３の端部同士を、一定の長さ分を相互に重ね合わせて繋いだ状態にフィルムシート２の止め付けを行うのが通例の作業方法であるが、それでも前記端部の着色表示４は、線材端部３ａから中央寄り方向に服す波形分の領域まで、又は両端部から複数波形分だけ偏倚した位置に設けられているから、特に後者の場合には隣り合う線材同士の端部の着色表示４、４が相互に混じり合って視覚に混乱を生じさせる虞もない。各シート止め線３、３の着色表示４、４は、それぞれが独立してその存在を明示するから、各線材の端部３ａの位置を明快に予断・予知できる。
【００１２】
更に、請求項２及び請求項４記載の考案のように、当該シート止め線３の中央部位にも、前記両端部３ａの着色表示４とは異なる長さ領域に、当該シート止め線３の地色とは異なる色彩及び／又は前記両端部の着色表示４とは異なる色彩の着色表示５が設けられている構成によれば、この中央側着色表示５を視認すると、端部３ａを示す着色表示４の位置が近いことを予知させる。したがって、当該シート止め線３の端部３ａの位置の探り出しを一層容易にする効果を奏する。
【００１３】
そして、請求項３、４に記載した考案に係るシート止め線３の場合は、その外周面に施された防食被覆のうち、少なくとも当該シート止め線３を流動炉床へ吊り込む際の各吊り位置に発生する吊り跡を、着色表示４、５により補修を兼ねて行えるので、二重手間を防いで防食被覆が完全なシート止め線３を提供することに寄与する。
【図面の簡単な説明】
【００１４】
【図１】本考案に係るシート止め線の実施例の全体像を、一部分の長さを省略して、及び着色表示部分のみを拡大して示した正面図である。
【図２】本考案によるシート止め線における端部側の着色表示の構成を拡大して示した斜視図である。
【図３】本考案によるシート止め線を用いてフィルムシートをシート止着溝へ止め付けた状態を示した斜視図である。
【図４】シート止め線を用いてフィルムシートをシート止め線のシート止着溝へ止め付ける作業要領を示した斜視図である。
【考案を実施するための形態】
【００１５】
本考案の着色表示を設けたシート止め線３は、台形波が交互に反転して連続する波形状をなし、一定の長さに定寸切断されたシート止め線３における両端部３ａから中央寄り方向へ複数波形分の領域まで、又は両端部から複数波形分だけ偏倚した位置における少なくとも一波形分相当の長さ領域の表面に、当該シート止め線の地色とは異なる色彩の着色表示４が設けている。
また、上記両端近傍の着色表示４に加えて、当該シート止め線３の中央部位にも、前記両端部近傍の着色表示４とは異なる波形数分相当の長さ領域に、当該シート止め線３の地色とは異なる色彩及び／又は前記両端部近傍の着色表示４とは異なる色の着色表示５が設けている。
【００１６】
更に、台形波が交互に反転して連続する波形状をなし一定の長さに定寸切断され、全長にわたり防食被覆が設けられたシート止め線３における、両端部から中央寄り方向へ複数波形分の領域まで、又は両端部から複数波形分だけ偏倚した位置であって、当該シート止め線３を流動炉床へ吊り込む際の端部側吊り位置を含む少なくとも一波形数分相当の長さ領域の表面に、当該シート止め線の防食被覆の地色とは異なる色彩の着色表示を設ける。
この場合にも、前記両端近傍の着色表示に加えて、当該シート止め線の中央部位であって、少なくとも当該シート止め線３を流動炉床へ吊り込む際の中央部吊り位置を含む長さ領域の表面に、当該シート止め線の防食被覆の地色とは異なる色彩及び／又は前記両端部の着色表示とは異なる色彩の着色表示を設けている。
【実施例１】
【００１７】
以下に、本考案を図示した実施例に基づいて説明する。
本考案に係るシート止め線３も、図４に例示したように、開口部が幅狭のシート止着溝１ａを備えたシート止め材１の前記シート止着溝１ａの上に拡げた、所謂ビニルハウス等の被覆材であるフィルムシート２を、前記シート止着溝１ａの中へ押し入れて同フィルムシート２をシート止め材１へ止め付けるため使用するもので、同一の台形波が交互に反転して連続する波形状をなし、弾性なスプリング性能を有する中炭素鋼等で製造されている。このシート止め線３の線径は２．０〜２．３ｍｍ程度で、台形波の振幅は３３ｍｍ程度であり、１波形分の波長は１０５ｍｍ程度に成形されている。
本考案に係るシート止め線３も、一定の長さに定寸切断して出荷され使用されるものであり、該シート止め線３の「定寸長さ」は、通例２ｍ〜４ｍ程度が一般的である。
【００１８】
図１には、本考案に係るシート止め線３を定寸切断した場合の全体像の構成を、一部分の長さを省略した形で示している。
この図１の記載から明かな通り、本考案のシート止め線３は、同一の台形波が交互に反転して連続する波形状をなし、上記した定寸長さ、即ち、２ｍ〜４ｍ程度に切断して出荷し使用される構成である。
そして、図１に示す実施例では、前記定寸切断された長さのシート止め線３における両端部３ａから中央寄り方向へ複数波形分だけ偏倚した位置、具体的には約２波形分だけ中央寄り方向へ偏倚した位置の線材表面に、図示例では約１波形分相当の長さ領域へ、当該シート止め線３の地色、例えば亜鉛メッキによるネズミ色とは異なる色彩として、例えば明視色である青色の着色表示４が左右両端部に合計２箇所設けられている。こうして図１に示す実施例では、１波形分相当の長さ領域へ着色表示４が設けられた結果、要するに台形波を形成する二つの隣接する傾斜辺部が青色に着色されていることになる。
【００１９】
もっとも、上記両端部側の着色表示４、４に関しては、両端部から中央寄り方向へ複数波形分に及ぶ領域まで連続して、同じく明視色である青色の着色表示４を設けて、左右両端部に合計２箇所形成した構成でも同様に実施される。
【００２０】
そして、上記両端近傍の着色表示４、４に加えて、当該シート止め線３の中央部位にも、上記両端近傍の着色表示４とは異なるように、図示例では１．５波形数分相当の長さ領域に、当該シート止め線３の地色とは異なる色彩で、且つ前記両端近傍の着色表示４（例えば青色）とは異なる明視色である、例えば黒色の着色表示５が１個設けられている。
こうして図示例では線材中央部に１．５波形分相当の長さ領域に着色表示５が設けられた結果、この着色表示５は、台形波を形成する三つの隣接傾斜辺部が黒色に着色された構成になっている。
【００２１】
従って、上記実施例によれば、当該シート止め線３の両端部近傍の位置には、各１箇所ずつ合計２箇所に、青色の着色表示４、４がそれぞれ一波形分相当の長さ領域（つまり、台形波の隣接する２斜辺部を含む。）へ設けられているから、このシート止め線３が、ビニルハウス等の温室に、その被覆材であるフィルムシート２をシート止め材１へ止め付けるべく使用された場合には、図３に例示したように、少なくとも隣接する二つの傾斜辺部に設けられた青色の着色表示４が、シート止め材１の開口部に明解に露出して、その存在が遠目にも作業員等の目視に鮮明に確認される。よって、見る者に当該シート止め線３の端部は数波形以内の位置に存在することを予知ないし予断させる。したがって、シート止め線３の端部の位置を探し出す作業を確実に手短に行える。 
同様に、当該シート止め線３の中央部位に設けられた、一例として黒色の着色表示５も、図示例では１．５波形分相当の長さ領域（つまり、台形波の隣接する３斜辺部を含む。）へ設けられているので、この隣接する三つの傾斜辺部に設けられた黒色の着色表示５も、シート止め材１の開口部に明解に露出して、その存在が遠目にも作業員等の目視に鮮明に確認される。こうして作業員等の目視に視認されると、当該シート止め線３の中央部の位置を理解させる。ひいては当該シート止め線３が上記した定寸長さであるとの理解に基づき、見た者に当該シート止め線３の端部は一定の長さ範囲に存在することを予知ないし予断させる。そして、しばらく進むと、上記端部近傍の着色表示４を発見することになり、当該シート止め線３の端部の位置を探し出す作業を容易に確実に手短に行うことができる。
【００２２】
以上の通りであるから、定寸切断して製造し使用させるシート止め線３が標準化され、且つ上記両端部の着色表示４が両端部３ａから中央寄り方向に一定数の波形分だけ偏倚した位置に、特定色（本実施例では青色）が、一定の波形数分（本実施例では隣接する２斜辺を含む。）へ設けられていること、及び同じシート止め線３の中央部位にも特定色（本実施例では黒色）が、一定の波形数分（本実施例では隣接する２斜辺を含む。）の長さ領域へ設けられていることがそれぞれ広く一般的に標準化されると、ビニルハウスのフィルムシート２が老朽化し又は汚損して張り替えを必要とする場合などに、新しいフィルムシートに張り替えるため、各シート止め材１のシート止着溝１ａの中へ入り込み溝底へぴったり密着しているシート止め線３でも、その端部の位置を探し出すことがすこぶる容易であり、同端部をはじめとしてシート止め線３を溝外へ引き出す作業を極めて能率的に楽に行うことができるから、フィルムシートに張り替え作業の工期短縮に大きく寄与する。
【実施例２】
【００２３】
同様なことは、敢えて実施例を図示することは省略したが、おなじく同一の台形波が交互に反転して連続する波形状をなし、一定の長さに定寸切断され、その全長にわたり防食被覆が施されたシート止め線３、又は両端部にのみ一定の長さ範囲まで、特に言えば端部を剪断機構で切断（カット）した際に生ずる返りを埋めるべく合成樹脂による被覆を施したシート止め線３についても、上記同様の各着色表示４、５を設けて同様の作用効果を得ることができる。
この場合に、防食被覆が施されたシート止め線３における、両端部から中央寄り方向に少なくとも複数波形分の領域まで、又は両端部から複数波形数分だけ偏倚した位置であって、当該シート止め線３を流動炉床へ吊り込む際の端部側吊り位置を含む長さ領域に、当該シート止め線の防食被覆の地色（通例黒色）とは異なる色彩（例えば青色）の着色表示を設けることが有効的である。かく構成すれば、吊り具によって吊り位置に生ずる吊り跡を、前記着色表示（青色）の塗布により修復する効果が得られるからである。
同様に、上記実施例の両端近傍の着色表示に加えて、当該シート止め線の中央部位であって、少なくとも当該シート止め線３を流動炉床へ吊り込む際に中央部の吊り位置を含む長さ領域にも、当該シート止め線の防食被覆の地色（黒色）とは異なる色彩で、しかも前記両端部の着色表示とは異なる色彩（例えば黄色）の着色表示を、両端近傍の着色表示とは異なる長さ領域に、つまり台形波の隣接する斜辺部の本数が異なる長さ範囲に設けることが更に好ましい。
かく構成すれば、防食性能が高いシート止め線３で、しかも防食被覆の吊り跡を実用上問題ない程度に修復した構成で、且つ各シート止め線の端部の位置を探し出す作業を容易にし、ビニルハウス等の張り替え作業を極めて容易に能率的に行うことに寄与できるのである。
【００２４】
以上に本考案を図示した実施例に基づいて説明したが、本考案の技術的範囲は、図示した実施例の構成に限定されない。いわゆる当業者が必要に応じて行う設計変更や応用、変形の範囲にまで及ぶことを念のため申し添える。
【符号の説明】
【００２５】
１          シート止め材
１ａ        シート止着溝
２          フィルムシート
３          シート止め線
３ａ        端部
４、５      着色表示
【図１】
0003177239.tif 000003
【図２】
0003177239.tif 000004
【図３】
0003177239.tif 000005
【図４】
0003177239.tif 000006